(57)【特許請求の範囲】
【請求項１】
アウトリガ外箱の内部にアウトリガ内箱が挿入され、テレスコピック状に構成された横アウトリガと、
前記アウトリガ内箱の先端に連結され、前記横アウトリガの長尺方向と垂直な面内で回転可能な縦アウトリガと、
前記アウトリガ内箱を引き込んだ状態で、該アウトリガ内箱の張り出しを制限するロック装置と、を備え、
前記アウトリガ外箱の先端上部に、前記アウトリガ内箱を引き込んだ場合に跳ね上げた状態の前記縦アウトリガが挿入される切欠きが形成されており、
前記切欠きは、前記縦アウトリガの回転軸よりも上方において挿入された該縦アウトリガの回転方向の側部を挟む形状を有しており、該縦アウトリガの回転方向の側部との隙間が該縦アウトリガの挿入が妨げられない程度に狭く形成されている
ことを特徴とするアウトリガ装置。
【請求項２】
前記アウトリガ外箱の先端には、前記アウトリガ内箱を支持する部材であって前記切欠きに対応する位置に間隙が形成された反力支持部材が設けられており、
前記縦アウトリガの前記切欠きへの挿入を妨げずに前記反力支持部材の前記間隙を繋ぎ合わせる補強部材が設けられている
ことを特徴とする請求項１記載のアウトリガ装置。
【発明の詳細な説明】
【技術分野】
【０００１】
本発明は、アウトリガ装置に関する。さらに詳しくは、格納時に縦アウトリガを上方に配置できるアウトリガ装置に関する。
【背景技術】
【０００２】
図７に示すように、積載形トラッククレーン101は、汎用トラック110の運転室111と荷台112との間の車両フレーム113に小型クレーン120が搭載されたものである。小型クレーン120は、車両フレーム113上に固定されたベース121にアウトリガ装置122が備えられている。
【０００３】
一般に、アウトリガ装置122は、ベース121に固定された横アウトリガ123と、横アウトリガ123に上端部が固定された縦アウトリガ124とで構成されている。そして、作業開始時には横アウトリガ123を張り出し、縦アウトリガ124を伸長して下端のフロートを接地させる。これにより、積載形トラッククレーン101の安定が確保される。また、作業終了時には、縦アウトリガ124を収縮し、横アウトリガ123を引き込んで、アウトリガ装置122を格納する。
【０００４】
従来のアウトリガ装置122は、格納時の縦アウトリガ124の最低地上高さｈが、積載形トラッククレーン101の走行時に障害とならない範囲で可能な限り低くなるように取り付けられている。しかし、車両フレーム113には、バッテリー、エアタンク等の補機類114や燃料タンク115等の装備が取り付けられているため、格納時に縦アウトリガ124がその装備114、115と干渉する恐れがある。そのため、縦アウトリガ124と干渉しない位置に装備114、115を移設した後に、小型クレーン120を汎用トラック110に搭載する必要があった。
【０００５】
これに対して、特許文献１に記載のアウトリガ装置は、格納時に縦アウトリガを車両フレームより上方に配置できる構成とし、装備を移設せずとも小型クレーンを汎用トラックに搭載できるようにしたものである。
【０００６】
図８に示すように、特許文献１に記載のアウトリガ装置210は、横アウトリガ211と、横アウトリガ211に連結された縦アウトリガ212とで構成されている。横アウトリガ211は、アウトリガ外箱213と、アウトリガ外箱213の内部に挿入されたアウトリガ内箱214とから構成されており、縦アウトリガ212は、アウトリガステー215と、アウトリガステー215の内部に設けられたアウトリガシリンダ216とから構成されている。アウトリガステー215の基端部にはボス218が横アウトリガ211側に向けて突設されており、このボス218がアウトリガ内箱214の側端のプレート219に設けた軸受220に回転可能に支承されて回転機構を構成している。
【０００７】
図９に示すように、プレート219には、軸受220を中心として左右対称に２つのピン孔221、221が設けられており、アウトリガステー215のピンブラケット223にはピン孔221に嵌脱するピン222が設けられている。
【０００８】
作業開始時には、まず横アウトリガ211を車幅方向へ張り出す。このとき縦アウトリガ212は上方に保持されている（図９における実線）。つぎに、ピン222をピン孔221から抜き、縦アウトリガ212を下方へ180°回転させ（図９における二点鎖線）、ピン222を反対側のピン孔221に挿入する。そして、アウトリガシリンダ216を伸長してフロート217を接地させて、積載形トラッククレーンの安定を確保する。
作業終了時には、まずアウトリガシリンダ216を収縮させ、ピン222をピン孔221から抜き、縦アウトリガ212を上方へ180°回転させ、ピン222を反対側のピン孔221に挿入して縦アウトリガ212を上方に保持する。そして、横アウトリガ211を引き込んでアウトリガ装置210を格納する。
【０００９】
図８に示すように、アウトリガ装置210は、格納時には最低地上高さｈが車両フレーム201の上面の高さＨより高くなる。そのため、燃料タンク202等の装備と縦アウトリガ212との干渉が生じることはなく、小型クレーンを汎用トラックに搭載するときに装備202の移設は不要であり、容易に搭載することができる。
【００１０】
ところで、走行の安全のために、アウトリガ装置の格納状態においては、縦アウトリガを積載形トラッククレーンの車幅より内側に引き込む必要がある。
この点、上記従来のアウトリガ装置210は、縦アウトリガ212が、横アウトリガ211の先端面の前方（図８における左右）に配置されており、横アウトリガ211の寸法を積載形トラッククレーンの車幅より短くし、格納状態において縦アウトリガ212が車幅内に収まるように構成されている。
このように、横アウトリガ211の寸法が短いため、横アウトリガ211の張り出し幅が狭くなり、その分だけ、アウトリガ装置210を接地状態としたときの積載形トラッククレーンの安定性が低くなるという問題がある。
【先行技術文献】
【特許文献】
【００１１】
【特許文献１】特開２００２−２７４７８３号公報
【発明の概要】
【発明が解決しようとする課題】
【００１２】
本発明は上記事情に鑑み、張り出し幅が広いアウトリガ装置を提供することを目的とする。
【課題を解決するための手段】
【００１３】
第１発明のアウトリガ装置は、アウトリガ外箱の内部にアウトリガ内箱が挿入され、テレスコピック状に構成された横アウトリガと、前記アウトリガ内箱の先端に連結され、前記横アウトリガの長尺方向と垂直な面内で回転可能な縦アウトリガと、前記アウトリガ内箱を引き込んだ状態で、該アウトリガ内箱の張り出しを制限するロック装置と、を備え、前記アウトリガ外箱の先端上部に、前記アウトリガ内箱を引き込んだ場合に跳ね上げた状態の前記縦アウトリガが挿入される切欠きが形成されており、前記切欠きは、前記縦アウトリガの回転軸よりも上方において挿入された該縦アウトリガの回転方向の側部を挟む形状を有しており、該縦アウトリガの回転方向の側部との隙間が該縦アウトリガの挿入が妨げられない程度に狭く形成されていることを特徴とする。
第２発明のアウトリガ装置は、第１発明において、前記アウトリガ外箱の先端には、前記アウトリガ内箱を支持する部材であって前記切欠きに対応する位置に間隙が形成された反力支持部材が設けられており、前記縦アウトリガの前記切欠きへの挿入を妨げずに前記反力支持部材の前記間隙を繋ぎ合わせる補強部材が設けられていることを特徴とする。
【発明の効果】
【００１４】
第１発明によれば、アウトリガ外箱の切欠きに縦アウトリガを挿入してアウトリガ内箱を引き込めるので、横アウトリガの寸法を作業車両の車幅まで長くすることができる。そのため、アウトリガ装置の張り出し幅が広くなる。切欠きが縦アウトリガの回転を制限するので、格納時に縦アウトリガが回転しないように保持できる。ロック装置によりアウトリガ内箱を引き込んだ状態で保持でき、それにより縦アウトリガの回転を制限できる。そのため、ロック装置によりアウトリガ装置を格納した状態で保持できる。
第２発明によれば、補強板により反力支持部材が補強されているので、アウトリガ装置を接地した際に加わる反力により反力支持部材の間隙が開くことを防止でき、アウトリガ内箱を支持することができる。
【図面の簡単な説明】
【００１５】
【図１】本発明の第１実施形態に係るアウトリガ装置の格納した状態における正面図である。
【図２】同アウトリガ装置の格納した状態における、（ａ）正面視部分拡大図、（ｂ）縦断面図である。
【図３】同アウトリガ装置の接地した状態における、（ａ）正面視部分拡大図、（ｂ）縦断面図である。
【図４】同アウトリガ装置の（ａ）格納した状態、（ｂ）接地した状態における平面視部分拡大図である。
【図５】同アウトリガ装置の（ａ）格納した状態、（ｂ）接地した状態における側面図である。
【図６】同アウトリガ装置の接地した状態における正面図である。
【図７】一般的な積載形トラッククレーンの側面図である。
【図８】従来のアウトリガ装置の正面図である。
【図９】同アウトリガ装置の側面図である。
【発明を実施するための形態】
【００１６】
つぎに、本発明の実施形態を図面に基づき説明する。
図１に示すように、本発明の一実施形態に係るアウトリガ装置１は、積載形トラッククレーンに積載される小型クレーンに備えられるものである。小型クレーンは、ベースｂを有しており、そのベースｂにアウトリガ装置１が固定されている。
【００１７】
アウトリガ装置１は、ベースｂの左右に水平に設けられた一対の横アウトリガ１０、１０と、各横アウトリガ１０に連結された縦アウトリガ２０とを備えている。横アウトリガ１０は、アウトリガ外箱１１とアウトリガ内箱１２とからなり、アウトリガ外箱１１の内部にアウトリガ内箱１２が挿入され、テレスコピック状に構成されている。また、縦アウトリガ２０は、縦アウトリガ２０を伸縮させるジャッキシリンダ２１と、ジャッキシリンダ２１のロッド先端に設けられたフロート２２とを備えている。
なお、汎用トラックの車両フレームｆにアウトリガ外箱１１の底面が固定されることにより、小型クレーンが汎用トラックに搭載され、積載形トラッククレーンが構成される。
【００１８】
図２および図３に示すように、アウトリガ内箱１２の先端面には回転軸１３が突設されている。一方、ジャッキシリンダ２１のキャップ側端部には軸受２３が設けられている。そして、軸受２３が回転軸１３に回転可能に嵌合することにより、縦アウトリガ２０がアウトリガ内箱１２の先端に回転可能に連結されている。そのため、縦アウトリガ２０を横アウトリガ１０の長尺方向と垂直な面内で回転させることにより、縦アウトリガ２０を跳ね上げた状態（図２参照）と、降ろした状態（図３参照）とでその姿勢を変えることができる。
【００１９】
図４に示すように、アウトリガ外箱１１の先端部の上面には切欠き１４が形成されている。この切欠き１４はアウトリガ内箱１２をアウトリガ外箱１１の内部に引き込んだ場合（図４（ａ）参照）に、跳ね上げた状態のジャッキシリンダ２１が挿入される形状となっている。本実施形態においてジャッキシリンダ２１の外形は円筒形であるため、切欠き１４はアウトリガ外箱１１の先端に開いた略Ｕ字形となっている。なお、油圧配管をジャッキシリンダ２１の外側に沿って設ける場合には切欠き１４をコの字形としてジャッキシリンダ２１と切欠き１４との隙間にその配管が収まるようにするなど、切欠き１４を他の形状としてもよい。
【００２０】
また、切欠き１４は、挿入されたジャッキシリンダ２１の回転方向の側部（図４における上下の側部）を挟む形状を有している。すなわち、ジャッキシリンダ２１の回転方向の側部と切欠き１４との隙間は、ジャッキシリンダ２１の挿入が妨げられない程度に狭く形成されている。
【００２１】
図５に示すように、アウトリガ外箱１１の先端には反力支持部材１５が設けられている。この反力支持部材１５は、アウトリガ装置１を接地した際にアウトリガ内箱１２から加わる反力を受け止め、アウトリガ内箱１２を支持する役割を担う。反力支持部材１５は切欠き１４に対応する位置に間隙が形成されており、ジャッキシリンダ２１の切欠き１４への挿入を妨げない形状となっている。
【００２２】
図３および図４に示すように、アウトリガ外箱１１の先端部の上面には補強板１６が設けられている。補強板１６には切欠き１４と同形状の切欠きが形成されている。補強板１６の先端は反力支持部材１５に接合されており、反力支持部材１５の間隙を繋ぎ合わせている。また、アウトリガ外箱１１の先端部の内部には、切欠き１４の周囲に補強板１７が設けられている。補強板１７は平面視において切欠き１４と同形状の略Ｕ字形の部材であり、その両端が反力支持部材１５に接合されており、反力支持部材１５の間隙を繋ぎ合わせている。なお、アウトリガ外箱１１の内部には、油圧配管などを配置する空間を確保するスペーサ１８が設けられており、補強板１７はアウトリガ外箱１１の上面とスペーサ１８との間に設けられ、それらを接合している。
【００２３】
以上のように補強板１６、１７は切欠き１４の周囲に形成されており、ジャッキシリンダ２１の切欠き１４への挿入を妨げない形状となっている。これらの補強板１６、１７により反力支持部材１５が補強されており、アウトリガ装置１を接地した際に加わる反力により反力支持部材１５の間隙が開くことを防止できる。そのため、反力支持部材１５によりアウトリガ内箱１２を支持することができる。
なお、補強板１６、１７は特許請求の範囲に記載の補強部材に相当する。補強部材としては、ジャッキシリンダ２１の切欠き１４への挿入を妨げずに反力支持部材１５の間隙を繋ぎ合わせる部材であれば、他の形状の部材を用いてもよい。
【００２４】
図２に示すように、反力支持部材１５の上縁には舌片３１が突設されている。また、ジャッキシリンダ２１の側部には、舌片３１に係止する回動爪３２が回動可能に取り付けられている。これら舌片３１と回動爪３２によりロック装置３０が構成されている。
アウトリガ内箱１２をアウトリガ外箱１１の内部に引き込むと、回動爪３２が舌片３１に係止しアウトリガ内箱１２の張り出しが制限される。また、回動爪３２を回動させると制限が解除され、アウトリガ内箱１２を張り出し可能にできる。
【００２５】
また、図３に示すように、軸受２３には、固定ピン４０が設けられている。固定ピン４０は、ピン４１と、軸受２３に固定されピン４１を褶動自在に支持する筒状部材４２とからなる。そして、ピン４２の先端が軸受２３の内周面から、突出、引込可能となっている。回転軸１３の外周面には嵌合穴４３が形成されており、縦アウトリガ２０を降ろした状態において、ピン４１の先端が嵌合する位置に形成されている。そのため、ピン４１の先端を嵌合穴４３に嵌合させることにより、縦アウトリガ２０を降ろした状態で姿勢を維持できる。なお、縦アウトリガ２０を降ろした状態で姿勢を維持できる構成であれば、他の構成の固定手段を用いてもよい。
【００２６】
上記アウトリガ装置１は以下の手順で操作される。
アウトリガ装置１を接地させるには、まずロック装置３０を解除し、アウトリガ内箱１２をアウトリガ外箱１１から抜き出して、横アウトリガ１０を車幅方向（図１における左右方向）へ張り出す。横アウトリガ１０の張り出しは手作業で行うか、横アウトリガ１０に備えられた油圧シリンダにより行われる。つぎに、縦アウトリガ２０を下方へ回転させ、降ろした状態にし、固定ピン４０で縦アウトリガ２０を固定する。そして、図６に示すように、ジャッキシリンダ２１を伸長して、フロート２２を接地させる。
【００２７】
一方、アウトリガ装置１を格納するには、まずジャッキシリンダ２１を収縮する。つぎに、固定ピン４０の固定を解除し縦アウトリガ２０を上方へ回転させ、跳ね上げた状態にする。そして、図１に示すように、アウトリガ内箱１２をアウトリガ外箱１１の内部に引き込んで、アウトリガ装置１を格納する。
【００２８】
ここで、アウトリガ外箱１１の切欠き１４にジャッキシリンダ２１を挿入してアウトリガ内箱１２を引き込めるので、縦アウトリガ２０を横アウトリガ１０の先端面より内側に引き込める。そのため、左右の横アウトリガ１０、１０およびベースｂを合わせた寸法Ｌを積載形トラッククレーンの車幅まで長くすることができる。すなわち、アウトリガ外箱１１およびアウトリガ内箱１２の寸法を長くすることができる。そのため、アウトリガ装置１の張り出し幅が広くなり、その分積載形トラッククレーンを安定して支えることができる。
【００２９】
また、切欠き１４が縦アウトリガ２０の回転を制限するので、格納時にジャッキシリンダ２１が回転しないように保持できる。すなわち、切欠き１４が縦アウトリガ２０の回転を制限する機能を有しており、他に縦アウトリガ２０の回転を制限する機構を設ける必要がない。
そして、ロック装置３０によりアウトリガ内箱１２を引き込んだ状態で保持でき、それにより縦アウトリガ２０の回転を制限できる。そのため、ロック装置３０のみでアウトリガ装置１を格納した状態で保持できる。
【００３０】
また、縦アウトリガ２０を降ろした状態では、アウトリガ外箱１１の先端部の底面と縦アウトリガ２０とが干渉するので、アウトリガ内箱１２をアウトリガ外箱１１に引き込めない。そのため、操作ミスなどにより縦アウトリガ２０が汎用トラックの装備に接触するなどの不具合を防止できる。
【００３１】
また、縦アウトリガ２０を跳ね上げた状態では、縦アウトリガ２０は横アウトリガ１０の底面より上方に配置される。そのため、汎用トラックの他の装備と縦アウトリガ２０とが干渉することはなく、小型クレーンを汎用トラックに搭載するときに装備の移設は不要であり、容易に搭載することができる。
【００３２】
ことろで、アウトリガ装置の張り出し幅を広くするための構成として、左右の横アウトリガを前後にずらして配置し横アウトリガの寸法を長くする構成や、縦アウトリガを跳ね上げた状態において横アウトリガの先端部の側方に位置するようにして横アウトリガの寸法を長くする構成なども考えられる。しかし、これらの構成の場合、アウトリガ装置１の前後幅が長くなり、小型クレーンの操作レバーを配置するスペースを確保できなくなる。
【００３３】
この点、本実施形態に係るアウトリガ装置１は、格納した状態では、縦アウトリガ２０は横アウトリガ１０の前後幅内に収まっており、横アウトリガ１０より前後に突出していない（図５（ａ）参照）。このように、アウトリガ装置１は前後幅が短い形状であるため、小型クレーンの操作レバーを配置するスペースを確保できる。
【００３４】
なお、上記実施形態は、小型クレーンに備えられるアウトリガ装置を例に説明したが、本発明のアウトリガ装置は、クレーン車や高所作業車など、種々の作業車両のアウトリガ装置として採用できる。
【符号の説明】
【００３５】
１    アウトリガ装置
１０  横アウトリガ
１１  アウトリガ外箱
１２  アウトリガ内箱
１３  回転軸
１５  反力支持部材
１６  補強板
１７  補強板
２０  縦アウトリガ
２１  ジャッキシリンダ
２２  フロート
２３  軸受
３０  ロック装置
３１  舌片
３２  回動爪
【図１】
0005956226.tif 000002
【図２】
0005956226.tif 000003
【図３】
0005956226.tif 000004
【図４】
0005956226.tif 000005
【図５】
0005956226.tif 000006
【図６】
0005956226.tif 000007
【図７】
0005956226.tif 000008
【図８】
0005956226.tif 000009
【図９】
0005956226.tif 000010